(57)【要約】【課題】脈理などの欠陥を実用上、十分な精度で検出することのできる画像を使用するレンズの検査方法を提供する。【解決手段】レンズの検査方法は、検査対象レンズを通して縞パターンの画像を採取するステップと、該画像の歪曲を補正するステップと、該縞パターンを空間的なキャリア信号として、フーリエ縞解析法によって位相変化の情報を取り出し、該位相変化の情報を使用して該検査対象レンズの欠陥箇所を検出するステップと、を含む。【選択図】  図２
2020012731.tif 000002
【特許請求の範囲】
【請求項１】
検査対象レンズを通して縞パターンの画像を採取するステップと、
該画像の歪曲を補正するステップと、
該縞パターンを空間的なキャリア信号として、フーリエ縞解析法によって位相変化の情報を取り出し、該位相変化の情報を使用して該検査対象レンズの欠陥箇所を検出するステップと、を含むレンズの検査方法。
【請求項２】
縞パターンの画像を採取するステップにおいて、検査対象レンズと補正レンズとの組合せを通して画像を採取する請求項１に記載のレンズの検査法方法。
【請求項３】
該縞パターンの周期を、検出対象の想定される欠陥の最小の大きさよりも小さくなるように定めた請求項１または２に記載のレンズの検査法方法。
【請求項４】
該縞パターンの周期が、該画像において少なくとも少なくとも２以上の画素に対応するように定めた請求項１から３のいずれかに記載のレンズの検査法方法。
【請求項５】
該検査対象レンズが円筒状レンズであり、該円筒の部分の長手方向と該縞パターンの縞の長手方向とが垂直となるような状態で該縞パターンの画像を採取する請求項１から４のいずれかに記載のレンズの検査法方法。
【請求項６】
該検査対象レンズがその表面上において線状に延びた部分であって、該線に垂直な断面の形状がほぼ一定であり、周囲の部分と比較して空間周波数の高い部分を備え、該線の長手方向と該縞パターンの縞の長手方向とが垂直となるような状態で該縞パターンの画像を採取する請求項１から４のいずれかに記載のレンズの検査法方法。
【発明の詳細な説明】
【技術分野】
【０００１】
本発明は、撮像装置によって取得した画像を使用するレンズの検査方法に関する。
【背景技術】
【０００２】
撮像装置によって取得した画像を使用するレンズの検査方法が開発されている（たとえば、特許文献１）。
【０００３】
しかし、従来の画像を使用するレンズの検査方法によって、脈理（密度や成分のゆらぎなどによる屈折率の異常）などの欠陥を検出することは困難であり、脈理などの欠陥を実用上、十分な精度で検出することのできる画像を使用するレンズの検査方法は開発されていなかった。
【先行技術文献】
【特許文献】
【０００４】
【特許文献１】特開2015-55561号公報
【発明の概要】
【発明が解決しようとする課題】
【０００５】
したがって、脈理などの欠陥を実用上、十分な精度で検出することのできる画像を使用するレンズの検査方法に対するニーズがある。本発明の課題は、脈理などの欠陥を実用上、十分な精度で検出することのできる画像を使用するレンズの検査方法を提供することである。
【課題を解決するための手段】
【０００６】
本発明によるレンズの検査方法は、検査対象レンズを通して縞パターンの画像を採取するステップと、該画像の歪曲を補正するステップと、該縞パターンを空間的なキャリア信号として、フーリエ縞解析法によって位相変化の情報を取り出し、該位相変化の情報を使用して該検査対象レンズの欠陥箇所を検出するステップと、を含む。
【０００７】
本発明によれば、フーリエ縞解析法によって取り出した位相変化の情報を使用して該検査対象レンズの欠陥箇所を検出するので、脈理などの欠陥を実用上、十分な精度で検出することができる。
【０００８】
本発明に第１の実施形態によるレンズの検査方法においては、縞パターンの画像を採取するステップにおいて、検査対象レンズと補正レンズとの組合せを通して画像を採取する。
【０００９】
本実施形態によれば、補正レンズによって歪曲がある程度補正されるので、画像における歪曲の補正が容易になり、フーリエ縞解析法を適用する際に有利である。
【００１０】
本発明に第２の実施形態によるレンズの検査方法においては、該縞パターンの周期を、検出対象の想定される欠陥の最小の大きさよりも小さくなるように定めている。
【００１１】
本実施形態によれば、欠陥に対して縞パターンの周期を適切に定めることにより、確実に欠陥を検出することが可能となる。
【００１２】
本発明に第３の実施形態によるレンズの検査方法においては、該縞パターンの周期が、該画像において少なくとも２以上の画素に対応するように定めている。
【００１３】
本実施形態によれば、縞パターンの周期に対応する画素数を適切に定めることにより、確実に欠陥を検出することが可能となる。縞パターンの周期に対応する画素数が２未満であると縞パターンのコントラストが著しく低下する。縞パターンの周期に対応する画素数は、３乃至１０に定めるのがより好ましい。縞パターンの周期に対応する画素数が３以上であるとコントラストがより向上する。縞パターンの周期に対応する画素数が１０を超えるとカメラの解像度が過剰となりコストが過大となる。
【００１４】
本発明に第４の実施形態によるレンズの検査方法においては、該検査対象レンズが円筒状レンズであり、該円筒の部分の長手方向と該縞パターンの縞の長手方向とが垂直となるような状態で該縞パターンの画像を採取する。
【００１５】
本実施形態においては、検査対象の円筒状レンズの円筒の部分の長手方向と縞パターンの縞の長手方向とが垂直となるような状態で縞パターンの画像を採取するので、円筒状レンズによる縞パターンの縞の歪曲が生じにくい。したがって、画像における歪曲の補正が容易になり、フーリエ縞解析法を適用する際に有利である。
【００１６】
本発明に第５の実施形態によるレンズの検査方法においては、該検査対象レンズがその表面上において線状に延びた部分であって、該線に垂直な断面の形状がほぼ一定であり、周囲の部分と比較して空間周波数の高い部分を備え、該線の長手方向と該縞パターンの縞の長手方向とが垂直となるような状態で該縞パターンの画像を採取する。
【００１７】
本実施形態においては、表面上において線状に延びた部分であって、該線に垂直な断面の形状がほぼ一定であり、周囲の部分と比較して空間周波数の高い部分を備えたレンズを検査する際に、該線の長手方向と該縞パターンの縞の長手方向とが垂直となるような状態で該縞パターンの画像を採取するので、該部分による縞パターンの縞の歪曲が生じにくい。したがって、画像における歪曲の補正が容易になり、フーリエ縞解析法を適用する際に有利である。レンズの表面上において線状に延びた部分であって、該線に垂直な断面の形状がほぼ一定であり、周囲の部分と比較して空間周波数の高い部分は、一例として、車両用灯具のレンズの出射面において水平方向に延在するシリンドリカル状の凸条部又は凹条部であり、鉛直方向に複数並んで配置されるフルートカットである。
【図面の簡単な説明】
【００１８】
【図１】本発明のレンズの欠陥の検査方法を実施するために使用される撮像光学系を示す図である。
【図２】本発明のレンズの欠陥の検査方法を説明するための流れ図である。
【図３】画像の補正前の位置及び補正後の位置を求める方法を説明するための流れ図である。
【図４】検査対象レンズと補正レンズとの組合せを通して撮像した正方格子の画像を示す図である。
【図５】図２のステップＳ１０３０において縞パターンを空間的なキャリア信号として実施されるフーリエ縞解析を説明するための流れ図である。
【図６】式（４）を模式的に表した図である。
【図７】シリンドリカルレンズと補正レンズとを組み合わせたものの光軸を含む断面を示す図である。
【図８】シリンドリカルレンズと補正レンズとを組み合わせたものの光軸を含む断面を示す図である。
【発明を実施するための形態】
【００１９】
図１は、本発明のレンズの欠陥の検査方法を実施するために使用される撮像光学系１００を示す図である。撮像光学系１００は、照明装置１０１と、表面に縞パターンが形成された板１０３と、補正レンズ（ヌルレンズ）１０５と、検査対象レンズ１０７と、撮像装置１０９と、を含む。補正レンズ１０５は検査対象レンズ１０７による画像の歪曲を補正する目的で使用される。補正レンズ１０５、検査対象レンズ１０７、及び撮像装置１０９は、これらの中心が板１０３の縞パターンが形成された表面に垂直な直線上に位置するように配置される。上記の直線を光軸と呼称し、図１において一点鎖線で示す。撮像光学系１００は、板１０３の縞パターンの光軸に垂直な方向の画像を、補正レンズ１０５と検査対象レンズ１０７との組合せを通して採取するように構成されている。なお、補正レンズ１０５及び検査対象レンズ１０７は逆向きに、すなわち検査対象レンズ１０７の凸の面が撮像装置１０９に向くように配置してもよい。
【００２０】
表面に縞パターンが形成された板１０３は、ロンキー・ルーリングであってもよい。ロンキー・ルーリングは、無色透明のフロートガラス基板上全面に平行線のパターンが施されたもので、平行線の線幅と線の間の空間の幅とは等しい。一例として、ロンキー・ルーリングの縞パターンは、１インチに１００組の線と線の間の空間との組合せである。この場合、１インチは、２．５４ミリメータであるので、線幅と線の間の空間の幅の和、すなわち縞の周期は２５．４マイクロメータであり、線幅と線の間の空間の幅とはともに１２．７マイクロメータである。
【００２１】
補正レンズ１０５の形状は、検査対象レンズ１０７による画像の歪曲を補正するように定める。補正レンズ１０５の形状の定め方については後で説明する。
【００２２】
ここで、撮像装置１０９の仕様の決め方について説明する。まず、撮像装置１０９の視野を決める。視野は板１０３の大きさよりも少し大きめとする。つぎに、撮像装置１０９の視野の大きさと撮像装置１０９のセンサのサイズから撮像装置１０９のレンズの倍率を決める。この倍率及びセンサの画素数から、センサの１画素に対応する検査対称の部分のサイズが求まる。一般的に、検査対象の欠陥の最小サイズが約１０画素以上となるような画素数のセンサを選択する。
【００２３】
実際に使用した撮像装置１０９の画素数は５００万画素である。セルサイズ（画素サイズ）は、３．４５μｍ×３．４５μｍであり、レンズの倍率は１である。ロンキー・ルーリングの線幅は約３．７画素に相当し、ロンキー・ルーリングの周期は約７．４画素に相当する。この場合に、１０画素は約３５マイクロメータに相当する。
【００２４】
一般的に、縞の周期、すなわちロンキー・ルーリングの周期は、検査対象の欠陥の最小サイズよりも小さくするように定める。また、縞の周期が少なくとも２以上の画素に対応するように画素数を定める。縞パターンの周期に対応する画素数が２未満であると縞パターンのコントラストが著しく低下する。縞パターンの周期に対応する画素数は、３乃至１０に定めるのがより好ましい。縞パターンの周期に対応する画素数が３以上であるとコントラストがより向上する。縞パターンの周期に対応する画素数が１０を超えるとカメラの解像度が過剰となりコストが過大となる。
【００２５】
図２は、本発明のレンズの欠陥の検査方法を説明するための流れ図である。
【００２６】
図２のステップＳ１０１０において、検査対象レンズと補正レンズとの組合せを通して縞パターンの画像を採取する。補正レンズによって画像の歪曲を完全に補正することはできないので、検査対象レンズと補正レンズとの組合せを通して撮像した画像はなお歪曲している。なお、検査対象レンズの屈折力が小さな場合には、補正レンズを使用せずに検査レンズのみを通して縞パターンの画像を採取してもよい。
【００２７】
図２のステップＳ１０２０において、画像の歪曲を補正する。一般に、画像の歪曲を補正する補正プログラムを利用することができる（たとえば、OpenCVライブラリなど）。このような補正プログラムは、画像において、補正前の位置にある輝度情報を補正後の位置に移動して画像を再構成する。すなわち、画像の補正前の位置及び補正後の位置を入力として補正プログラムに与えれば、画像の歪曲を補正することができる。
【００２８】
図３は、画像の補正前の位置及び補正後の位置を求める方法を説明するための流れ図である。
【００２９】
図３のステップＳ２０１０において、検査対象レンズによる歪曲をできるだけ補正する補正レンズを設計する。補正レンズを設計する際には、一例として、一辺が所定の長さの正方格子のチャートを、検査対象レンズと補正レンズとの組合せを通して撮像した画像を、光線追跡法による光学シミュレーションによって求め、該画像における正方格子の歪曲の状態を観察しながら画像の歪曲をできるだけ小さくするように補正レンズの形状を修正しながら設計する。
【００３０】
図３のステップＳ２０２０において、一例として、一辺が所定の長さの正方格子のチャートを、検査対象レンズと上記のように設計された補正レンズとの組合せを通して撮像した画像を、光学シミュレーションによって求める。
【００３１】
図４は、検査対象レンズと補正レンズとの組合せを通して撮像した正方格子の画像を示す図である。図４の点線は、検査対象レンズと補正レンズとの組合せを通して撮像した正方格子の歪曲した画像を示す。図４の実線は、正方格子の歪曲を補正した形状を示す。
【００３２】
図３のステップＳ２０３０において、図４において点線で示される歪曲した正方格子の格子点、及び図４において実線で示される正方格子の格子点を、それぞれ画像の補正前の位置、及び補正後の位置とする。上述のように、このようにして求めた画像の補正前の位置及び補正後の位置を入力として補正プログラムに与えることによって、画像の歪曲を補正することができる。
【００３３】
図２のステップＳ１０３０において、縞パターンを空間的なキャリア信号として、フーリエ縞解析法によって位相変化の情報を取り出し、該位相変化の情報を使用して該検査対象レンズの欠陥箇所を検出する。
【００３４】
図５は、図２のステップＳ１０３０において縞パターンを空間的なキャリア信号として実施されるフーリエ縞解析法を説明するための流れ図である。実際には、２次元の画像処理を実施するが、図５においては、簡単のために、１次元の画像処理として説明する。
【００３５】
なお、フーリエ縞解析法の詳細は、Mitsuo Takeda et al., “Fourier-transform method of fringe-pattern analysis for computer-based topography and interferometry”, J. Opt. Soc. Am./Vol. 72, No. 1/January 1982に記載されている。また、国立大学法人電気通信大学のサイト（https://www.uec.ac.jp/research/information/column/09.html）にフーリエ縞解析法の解説が記載されている。以下の、図５のステップＳ３０１０−Ｓ３０３０の説明は、上記のサイトの説明の一部を引用して行う。
【００３６】
図５のステップＳ３０１０において、採取した画像の光の強度分布ｇ（ｘ）をフーリエ変換してＧ（ｆ）を得る。
【００３７】
ここで、ｇ（ｘ）は以下の式で表現される。
【数１】
2020012731.tif 000003
ここで、a(x)は、バックグラウンドの強度分布を表し、b(x)は、縞の明暗変化の振幅を表す。ｆ０は縞の空間周波数である。φ(X)は検査対象レンズの形状や屈折率などの物理量に関する情報を持つ位相である。検査対象レンズの形状や屈折率などの物理量が周囲と比較して変化した場合には位相φ(X)が変化する。
【数２】
2020012731.tif 000004
であるから、式（１）は以下のように書き換えることができる。
【数３】
2020012731.tif 000005
ここで、
【数４】
2020012731.tif 000006
【数５】
2020012731.tif 000007
とおけば、以下の式（３）が得られる。
【数６】
2020012731.tif 000008
ここで、検査対象レンズの形状や屈折率などの物理量に関する情報は、ｃ（ｘ）及びｃ＊（ｘ）に含まれる。
【００３８】
ｇ（ｘ）のフーリエ変換は、
【数７】
2020012731.tif 000009
であるから、式（３）をフーリエ変換して以下の式（４）が得られる。
【数８】
2020012731.tif 000010
【数９】
2020012731.tif 000011
【数１０】
2020012731.tif 000012
式（４）の第１項は、式（３）の第１項a(x)のフーリエ・スペクトルであり、式（４）の第２項及び第３項は、式（２）のc(x)及びc*(x)のフーリエ・スペクトルをｆ０ずらしたものを表している。
【００３９】
図６は、式（４）を模式的に表した図である。
【００４０】
図５のステップＳ３０２０において、Ｇ（ｆ）の、空間キャリア周波数ｆ０近傍の成分であるＣ（ｆ−ｆ０）を求める。
【００４１】
図５のステップＳ３０３０において、Ｃ（ｆ−ｆ０）を原点に移動させてＣ（ｆ）を求め、Ｃ（ｆ）をフーリエ逆変換してｃ（ｘ）を得る。ここで、Ｃ（ｆ−ｆ０）を原点に移動させる作業は、空間キャリア周波数を取り除くことに相当する。
【００４２】
図５のステップＳ３０４０において、位置ｘにおけるｃ（ｘ）が所定値よりも大きいか否か判断する。検査対象レンズの形状や屈折率などの物理量が周囲と比較して変化した場合には位相φ(X)が変化するので、ｃ（ｘ）が大きくなると考えられる。したがって、位置ｘにおけるｃ（ｘ）が所定値よりも大きいか否か判断することによって、位置ｘにおいて欠陥が存在するか否か判断することができる。上記の所定値は、複数の欠陥のないレンズのｃ（ｘ）の平均値を求め、その値に所定の係数、たとえば、１．２または１．５などを乗ずることによって求める。位置ｘにおけるｃ（ｘ）が所定値よりも大きければ、ステップＳ３０５０に進む。位置ｘにおけるｃ（ｘ）が所定値以下であれば、ステップＳ３０６０に進む。
【００４３】
図５のステップＳ３０５０において、位置ｘにおいて欠陥が存在すると判断する。
【００４４】
図５のステップＳ３０６０において、位置ｘにおいて欠陥が存在しないと判断する。
【００４５】
図５のステップＳ３０７０において、全てのｘについての処理が終了したか否か判断する。全てのｘについての処理が終了していれば全体の処理を終了する。全てのｘについての処理が終了していなければ、他のｘについての処理を実施するようにステップＳ３０４０に戻る。
【００４６】
実際には、２次元の光の強度分布ｇ（ｘ、ｙ）に対して、図５の流れ図に示した処理を実施する。２次元の光の強度分布ｇ（ｘ、ｙ）の２次元離散フーリエ変換の式は以下のとおりである。
【数１１】
2020012731.tif 000013
ここでｕ及びｖは、それぞれｘ及びｙに対応する周波数空間を表す。
【００４７】
また、Ｃ（ｕ，ｖ）の２次元離散フーリエ逆変換の式は以下のとおりである。
【数１２】
2020012731.tif 000014
【００４８】
上述のように縞パターンを空間的なキャリア信号として実施されるフーリエ縞解析法によれば、検査対象レンズの形状や屈折率などの物理量の変化をｃ（ｘ，ｙ）の大きさの変化として検出することができる。
【００４９】
上述のように、縞パターンの空間周波数、すなわち縞の周期は、検出したい最小の欠陥のサイズ以下である必要がある。たとえば、上述のように、縞の周期が２５．４マイクロメータであれば、検出し得る欠陥のサイズは２５．４マイクロメータよりも大きい。
【００５０】
ここで、縞パターンの縞の方向とレンズの向きとの関係について検討する。上述のように補正レンズ、及び図３のステップＳ２０１０の処理によって画像の歪曲は補正される。しかし、画像の歪曲を完全に補正することはできない。フーリエ縞解析法においては、採取された画像の縞のパターンができるだけ歪曲されていないことが望ましい。
【００５１】
図７は、シリンドリカルレンズ１０７Ａと補正レンズ１０５Ａとを組み合わせたものの光軸を含む断面を示す図である。図７において、縞パターンの縞がシリンドリカルレンズ１０７Ａの長手方向と平行となるように配置されている。補正レンズ１０５Ａ及びシリンドリカルレンズ１０７Ａを通して採取した画像の歪曲を完全に補正することはできないので、画像における縞パターンは歪曲する。
【００５２】
図８は、シリンドリカルレンズ１０７Ａと補正レンズ１０５Ａとを組み合わせたものの光軸を含む断面を示す図である。図８において、縞パターンの縞がシリンドリカルレンズ１０７Ａの長手方向と垂直となるように配置されている。画像における縞パターンは長手方向に伸縮するが歪曲はしない。
【００５３】
したがって、検査対象レンズがシリンドリカルレンズである場合には、縞パターンの縞がシリンドリカルレンズの長手方向と垂直となるように配置するのが望ましい。
【００５４】
また、車両用灯具のレンズでは、カットオフライン近傍に照射される光の一部を拡散させるように、レンズの出射面にフルートカットと呼ばれる部分を設けることがある。フルートカットは、水平方向に延在するシリンドリカル状の凸条部又は凹条部であり、鉛直方向に複数並んで配置される。フルートカットはシリンドリカル状であるので、検査対象レンズがこのようなフルートカットを備えたレンズである場合には、検査対象レンズがシリンドリカルレンズである場合と同じ理由により縞パターンの縞がフルートカットの延伸方向と垂直となるように配置するのが望ましい。
【図１】
2020012731.tif 000015
【図２】
2020012731.tif 000016
【図３】
2020012731.tif 000017
【図４】
2020012731.tif 000018
【図５】
2020012731.tif 000019
【図６】
2020012731.tif 000020
【図７】
2020012731.tif 000021
【図８】
2020012731.tif 000022
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
光学シミュレーションによって、検査対象レンズによる歪曲を補正する補正レンズを設計するステップと、
該光学シミュレーションによって、該検査対象レンズと該補正レンズとの組合せを通して得た補正用画像を求めるステップと、
該補正用画像使用して歪曲の補正プログラムを調整するステップと、
該検査対象レンズと該補正レンズとの組合せを通して縞パターンの検査用画像を採取するステップと、
調整された該補正プログラムを使用して該検査用画像の歪曲を補正するステップと、
該縞パターンを空間的なキャリア信号として、フーリエ縞解析法によって位相変化の情報を取り出し、該位相変化の情報を使用して該検査対象レンズの欠陥箇所を検出するステップと、を含むレンズの検査方法。
【請求項２】
該縞パターンの周期を、検出対象の想定される欠陥の最小の大きさよりも小さくなるように定めた請求項１に記載のレンズの検査法方法。
【請求項３】
該縞パターンの周期が、該画像において少なくとも２以上の画素に対応するように定めた請求項１または２に記載のレンズの検査法方法。
【請求項４】
該検査対象レンズが円筒状レンズであり、該円筒の部分の長手方向と該縞パターンの縞の長手方向とが垂直となるような状態で該縞パターンの画像を採取する請求項１から３のいずれかに記載のレンズの検査法方法。
【請求項５】
該検査対象レンズがその表面上において線状に延びた部分であって、該線に垂直な断面の形状がほぼ一定であり、周囲の部分と比較して空間周波数の高い部分を備え、該線の長手方向と該縞パターンの縞の長手方向とが垂直となるような状態で該縞パターンの画像を採取する請求項１から３のいずれかに記載のレンズの検査法方法。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
光学シミュレーションによって、検査対象レンズによる歪曲を補正する補正レンズを設計するステップと、
該光学シミュレーションによって、該検査対象レンズと該補正レンズとの組合せを通して得た補正用画像を求めるステップと、
該補正用画像を使用して歪曲の補正プログラムを調整するステップと、
該検査対象レンズと該補正レンズとの組合せを通して縞パターンの検査用画像を採取するステップと、
調整された該補正プログラムを使用して該検査用画像の歪曲を補正するステップと、
該縞パターンを空間的なキャリア信号として、フーリエ縞解析法によって位相変化の情報を取り出し、該位相変化の情報を使用して該検査対象レンズの欠陥箇所を検出するステップと、を含むレンズの検査方法。
【請求項２】
該縞パターンの周期を、検出対象の想定される欠陥の最小の大きさよりも小さくなるように定めた請求項１に記載のレンズの検査法方法。
【請求項３】
該縞パターンの周期が、該画像において少なくとも２以上の画素に対応するように定めた請求項１または２に記載のレンズの検査法方法。
【請求項４】
該検査対象レンズが円筒状レンズであり、該円筒の部分の長手方向と該縞パターンの縞の長手方向とが垂直となるような状態で該縞パターンの画像を採取する請求項１から３のいずれかに記載のレンズの検査法方法。
【請求項５】
該検査対象レンズがその表面上において線状に延びた部分であって、該線に垂直な断面の形状がほぼ一定であり、周囲の部分と比較して空間周波数の高い部分を備え、該線の長手方向と該縞パターンの縞の長手方向とが垂直となるような状態で該縞パターンの画像を採取する請求項１から３のいずれかに記載のレンズの検査法方法。